(57)【要約】　【課題】　施工性を向上できかつ外観が良好な見切り材を提供する。【解決手段】　見切り材４０は、２つの面３５，３６が接合する部分に設けられ、各天井面３５，３６に取り付けられる２つの固定部５０と、これら固定部５０の一端側が連結されて変形可能な連結部６０と、固定部５０を覆うカバー部７０とを備えている。これにより、固定部５０に露出した釘５１５をカバー部７０で隠蔽できるから、外観を良好にできる。また、天井の施工完了後に見切り材４０を乾式施工で取り付けることができるから、施工手順を単純化でき、大幅に施工性を向上できる。【選択図】 図４
2004076572.tif 000002
【特許請求の範囲】
【請求項１】
２つの面が接合する部分に設けられる見切り材であって、
　各面に取り付けられる２つの固定部と、これら固定部の一端側が連結されて変形可能な連結部と、前記固定部を覆うカバー部とを備えていることを特徴とする見切り材。
【請求項２】
請求項１に記載の見切り材において、
　前記固定部と前記連結部とは、押出成形で一体に形成されていることを特徴とする見切り材。
【請求項３】
請求項１または２に記載の見切り材において、
　前記カバー部は、断面略コの字形状の挟持部と、この挟持部の一端側が延長されて形成された平板状の覆部とを備え、前記挟持部が前記固定部の他端側に嵌め込まれることにより、前記挟持部で前記固定部に支持されるとともに前記覆部で前記固定部を覆うことを特徴とする見切り材。
【請求項４】
請求項３に記載の見切り材において、
　前記固定部と前記連結部との間に溝を有し、この溝は、前記カバー部の覆部が差し込まれることにより、前記カバー部の覆部を支持することを特徴とする見切り材。
【請求項５】
請求項１または２に記載の見切り材において、
　前記カバー部は、前記連結部に連結され、この連結部が変形することにより前記固定部に対して開閉自在とされていることを特徴とする見切り材。
【請求項６】
請求項１に記載の見切り材において、
　前記固定部およびカバー部は硬質材料から形成され、前記連結部は前記固定部およびカバー部より軟質の軟質材料から形成されていることを特徴とする見切り材。
【請求項７】
請求項６に記載の見切り材において、
　前記固定部とカバー部との間には、前記連結部基端側に前記固定部とカバー部との相対位置を決める位置決め部が設けられるとともに、連結部先端側に前記固定部とカバー部とを係止する係止部が設けられていることを特徴とする見切り材。
【請求項８】
請求項７に記載の見切り材において、
　前記位置決め部は、前記固定部とカバー部とを係止する際の支点となっていることを特徴とする見切り材。
【請求項９】
請求項６に記載の見切り材において、
　前記連結部における前記２つの固定部間の略中心を切断してその片方のみを使用することを特徴とする見切り材。
【発明の詳細な説明】
【技術分野】
【０００１】
　本発明は、例えば、天井や内壁等において、２つの面が接合する部分に取り付けられる見切り材に関する。
【背景技術】
【０００２】
　従来より、水平面と傾斜面とを有する勾配天井や折り上げ天井が知られている。これらの天井は、躯体に支持された吊りボルトと、この吊りボルトに支持される野縁と、この野縁下面に張り付けられる石膏ボード、岩綿吸音板、ケイカル板等の平板状の天井仕上材とで構成されている。ここで、水平面と傾斜面との接合部分には、見切り材が取り付けられる。
【０００３】
　見切り材の取り付け方法としては、次のような方法がある。
　第１に、各面を構成する天井仕上材の端縁に沿って略コの字形状のキャップを嵌め込み、このキャップ同士を接合部分で突き付けて配置する。これにより、２つのキャップが一体となって、見切り材として認識される（実開平５−３５９２３号公報参照）。
　第２に、接合部分に沿って各面に長尺状の芯材を配置し、この２本の芯材を跨ぐように保護シートで覆う。これにより、保護シートが見切り材として認識される。
【０００４】
【特許文献１】特開平５−１７４９７７号公報（［０００４］、図２参照）
【発明の開示】
【発明が解決しようとする課題】
【０００５】
　しかし、上述した第１の方法では、天井仕上材を野縁に固定する際にキャップを取り付けるため、施工手順が煩雑になり、施工性が低下していた。
　また、第２の方法では、保護シートを釘やビス等で芯材に固定する必要があるため、この釘やビス等が露出し、外観を良好にすることが困難であった。
【０００６】
　本発明の目的は、施工性を向上できかつ外観が良好な見切り材を提供することにある。
【課題を解決するための手段】
【０００７】
　上記目的を達成するため、本発明の見切り材は、次の構成を採用する。
　本発明を図面を参照して説明すると、図４に示すように、請求項１に記載の見切り材４０は、２つの面３５，３６が接合する部分Ａに設けられる見切り材であって、各面に取り付けられる２つの固定部５０と、これら固定部５０，５０の一端側が連結されて変形可能な連結部６０と、前記固定部５０を覆うカバー部７０とを備えていることを特徴とする。
【０００８】
　この発明によれば、接合する各面に各固定部を釘やビス等で取り付けた後、カバー部で各固定部を覆う。したがって、固定部表面に露出した釘やビス等をカバー部で隠蔽できるから、外観を良好にできる。また、天井の施工完了後に見切り材を乾式施工で取り付けることができるから、施工手順を単純化でき、大幅に施工性を向上できる。
　また、固定部をそれぞれ一端側で連結部に連結したので、各面の接合する部分上に連結部が位置するように配置することにより、固定部を接合部分に沿って確実に配置できるから、施工性を向上できる。
　また、連結部を変形可能としたので、各固定部の成す角度に対応して連結部を変形させることにより１種類の見切り材で様々な角度の面に対応できるから、コストを削減できる。
【０００９】
　請求項２に記載の見切り材は、図４に示すように、請求項１に記載の見切り材において、前記固定部５０と前記連結部６０とは、押出成形で一体に形成されていることを特徴とする。
　この発明によれば、固定部と連結部と別個に製造して組み立てる場合に比べ、見切り材を容易に製造できる。
【００１０】
　請求項３に記載の見切り材は、図３に示すように、請求項１または２に記載の見切り材において、前記カバー部７０は、断面略コの字形状の挟持部７１と、この挟持部の一端側が延長されて形成された平板状の覆部７２とを備え、前記挟持部７１が前記固定部５０の他端側に嵌め込まれることにより、前記挟持部７１で前記固定部５０に支持されるとともに前記覆部７２で前記固定部５０を覆うことを特徴とする。
　この発明によれば、カバー部を固定部および連結部とは別部材としたので、固定部、連結部およびカバー部を一体に成形する場合に比べ、カバー部を形成する材料が限定されないので、カバー部の意匠の自由度を向上できる。
【００１１】
　請求項４に記載の見切り材は、図４に示すように、請求項３に記載の見切り材において、前記固定部５０と前記連結部６０との間に溝６１を有し、この溝６１は、前記カバー部７０の覆部７２が差し込まれることにより、前記カバー部７０の覆部７２を支持することを特徴とする。
　この発明によれば、カバー部を溝と連結部とで支持できるから、カバー部の脱落を確実に防止できる。
【００１２】
　請求項５に記載の見切り材は、図５に示すように、請求項１または２に記載の見切り材において、前記カバー部７０Ａは、前記連結部６０に連結され、この連結部６０が変形することにより前記固定部５０に対して開閉自在とされていることを特徴とする。
　この発明によれば、カバー部を固定部および連結部と一体としたので、見切り材を取り付ける際に部品を紛失することがないから、取扱性を向上できる。
　また、カバー部を閉じるだけで固定部を隠蔽できるから、施工性を向上できる。
【００１３】
　請求項６に記載の見切り材は、図６に示すように、請求項１に記載の見切り材において、前記固定部５０Ｂおよびカバー部７０Ｂは硬質材料から形成され、前記連結部６０Ｂは前記固定部５０Ｂおよびカバー部７０Ｂより軟質の軟質材料から形成されていることを特徴とする。
　この発明によれば、固定部にカバー部を被せるとき、固定部とカバー部とが硬質材料から形成されているので、軟質材料の場合だと生じる、柔らかいために嵌め込みにくい、というようなことがなくなり、その結果、固定部とカバー部との嵌め込み等が容易となり、施工性が向上する。また、カバー部が硬質材料で形成されているので、固定部に被せたときでもたるみが生じないから、外観が良好となる。
【００１４】
　請求項７に記載の見切り材は、図６に示すように、請求項６に記載の見切り材において、前記固定部５０Ｂとカバー部７０Ｂとの間には、前記連結部基端側に前記固定部５０Ｂとカバー部７０Ｂとの相対位置を決める位置決め部７７が設けられるとともに、連結部先端側に前記固定部５０Ｂとカバー部７０Ｂとを係止する係止部７８が設けられていることを特徴とする。
　この発明によれば、固定部とカバー部との間に、位置決め部が設けられているので、カバー部の固定部に対する平行を保持できる。また、位置決め部によって固定部とカバー部との間に空間を形成でき、その結果、固定部を固定するために釘を固定部とカバー部とのから打ち付けても、釘の頭が、カバー部を被せたときにカバー部の邪魔とならない。
【００１５】
　請求項８に記載の見切り材は、請求項７に記載の見切り材において、前記位置決め部７７は、前記固定部５０とカバー部７０とを係止する際の支点となっていることを特徴とする。
　この発明によれば、支点に力を加えることで、係止部を嵌めやすくなり、施工性の向上を図れる。
【００１６】
　請求項９に記載の見切り材は、図８に示すように、請求項６に記載の見切り材において、前記連結部６０Ｂにおける前記２つの固定部５０Ｂ間の略中心を切断してその片方のみを使用することを特徴とする。
　この発明によれば、連結部が軟質材料で形成されているため、切断しやすい。また、切断した片方の見切り材を使用した場合、連結部の半分の部分で、見切り材と取り付け部との隙間を覆えるから、被取り付け部への塵埃等の侵入を防止できる。
【発明を実施するための最良の形態】
【００１７】
以下、本発明の各実施形態を図面に基づいて説明する。なお、以下の実施形態の説明にあたって、同一構成要件については同一符号を付し、その説明を省略もしくは簡略化する。
〔第１実施形態〕
　図１には、本発明の第１実施形態に係る見切り材が適用された建物１０の断面図が示されている。
　建物１０は、図示しない基礎の上に設けられた建物本体１２と、この建物本体１２の上に設けられた屋根１３とを備えている。
　屋根１３は、水平屋根部１３１と、この水平屋根部１３１の両端側に設けられて互いに反対方向に傾斜した傾斜屋根部１３２，１３３とを備えている。
　建物本体１２は、２階建てとされ、１階に配置された２つの部屋１２１と、２階に配置された２つの部屋１２２とを備えている。
　部屋１２２は、屋根１３の直下に位置し、壁２０と、屋根１３の形状に対応した形状を有する天井３０とで囲まれている。
【００１８】
　図２には、建物１０の２階の部屋１２２の拡大断面図が示されている。
　壁２０は、芯材２１と、この芯材２１の両面に張り付けられた壁仕上材２２とを備え、壁仕上材２２の部屋１２２側の表面は、壁面２３とされている。
　天井３０は、屋根１３の形状に対応しているため、水平な水平天井部３１と、傾斜した傾斜天井部３２とを有している。各天井部３１，３２は、図示しない吊りボルトを介して所定間隔おきに配置された野縁３３と、この野縁３３下面に張り付けられる石膏ボード、岩綿吸音板、ケイカル板等の平板状の天井仕上材３４とを含んで構成されている。
　水平天井部３１を構成する天井仕上材３４の部屋１２２側の表面は、水平天井面３５とされ、傾斜天井部３２を構成する天井仕上材３４の部屋１２２側の表面は、傾斜天井面３６とされている。
【００１９】
　水平天井面３５と傾斜天井面３６とが接合する部分（以降、接合部分Ａと呼ぶ）では、天井仕上材３４の補強のため、天井仕上材３４の裏面側に野縁３３が配置されるとともに、表面側に見切り材４０が取り付けられている。
　また、傾斜天井面３６と壁面２３とが接合する部分（以降、接合部分Ｂと呼ぶ）では、接合部分Ａと同様に、天井仕上材３４の裏面側に野縁３３が配置され、壁仕上材２２の裏面側に芯材２１が配置されるとともに、表面側に見切り材４０が取り付けられている。
【００２０】
　図３には、見切り材４０の断面図が示されている。
　見切り材４０は、天井面３５，３６または壁面２３に取り付けられる２つの固定部５０と、これら固定部５０の一端が連結される連結部６０と、各固定部５０を覆うカバー部７０とを備えている。この見切り材４０では、２つの固定部５０が連結部６０を挟んで配置されており、連結部６０を折り曲げることにより各固定部５０同士の成す角度を変化させることができる。
　固定部５０と連結部６０とは、押出成形で一体に形成されている。カバー部７０は、固定部５０および連結部６０とは別部材とされている。
【００２１】
　連結部６０は、固定部５０より薄い厚みを有する平板状に形成され、塑性変形可能とされている。連結部６０の裏面側の略中央には、後述する各固定部５０の立ち上がり部５１２が連結されている。したがって、連結部６０を略中央で折り曲げることによって、各固定部５０同士の成す角度を変化させることができる。
【００２２】
　固定部５０は、一端で連結部６０に連結される本体５１と、この本体５１の他端側に設けられた被挟持部５２とを含んで構成されている。
【００２３】
　本体５１は、表面側が凹んだ略断面コの字形状とされ、底部５１１と、この底部５１１の一端（連結部６０側）に立設された立ち上がり部５１２と、底部５１１の他端に立設された立ち上がり部５１３とを備えている。
　立ち上がり部５１２は、その先端に向かうに従って立ち上がり部５１３から遠ざかる向きに傾斜している。これにより、連結部６０を裏面側に折り曲げた際に固定部５０同士の成す角度を大きく確保することができる。
　立ち上がり部５１２の連結部６０近傍には、被挟持部５２側に突出する挟持片５１４が設けられている。そして、この挟持片５１４と連結部６０とで溝６１が形成されている。
【００２４】
　被挟持部５２は、立ち上がり部５１３の途中に連結される支持部５２１と、この支持部５２１に支持される断面円形状の被支持部５２２とを備えている。
【００２５】
　カバー部７０は、断面略コの字形状の挟持部７１と、この挟持部７１の一端側が延長されて形成された平板状の覆部７２とを備えている。
　覆部７２の先端は、溝６１に差し込まれて、挟持片５１４と連結部６０とで挟持されている。覆部７２の略中央部は、立ち上がり部５１３の先端に支持されている。挟持部７１は、固定部５０の被支持部５２２に支持されている。
【００２６】
　次に、接合部分Ａにおける見切り材４０の取り付け方法について、図４を参照しながら説明する。
　先ず、連結部６０を折り曲げて、各固定部５０同士の成す角度を変化させて、水平天井面３５と傾斜天井面３６とが成す角度と略同じにする。
　次に、接合部分Ａ上に連結部６０が位置するように配置することにより、天井面３５，３６上に各固定部５０を配置し、固定部５０の底部５１１に釘５１５を貫通させて野縁３３に固定する。
【００２７】
　続いて、カバー部７０を、固定部５０の被挟持部５２側から天井面３５，３６上に沿って移動させ、カバー部７０の覆部７２の先端を溝６１に差し込むとともに、挟持部７１を固定部５０の被支持部５２２に嵌め込む。これにより、覆部７２は、先端で溝６１に支持され、略中央で立ち上がり部５１３の先端に支持される。同時に、挟持部７１は、固定部５０の被支持部５２２に支持される。同時に、カバー部７０で固定部５０を覆う。
　なお、接合部分Ｂにおける見切り材４０も、同様の方法で取り付けることができる。
【００２８】
　したがって、本実施形態によれば以下の効果がある。
（１）カバー部７０で各固定部５０を覆ったので、固定部５０表面に露出した釘５１５をカバー部７０で隠蔽できるから、見切り材４０の外観を良好にできる。また、天井の施工完了後に見切り材４０を乾式施工で取り付けることができるから、施工手順を単純化でき、大幅に施工性を向上できる。
（２）固定部５０をそれぞれ一端で連結部６０に連結したので、接合部分Ａ，Ｂ上に連結部６０が位置するように配置することにより、固定部５０を接合部分Ａに沿って確実に配置できるから、施工性を向上できる。
【００２９】
（３）連結部６０を変形可能としたので、各固定部５０の成す角度に対応して連結部６０を変形させることにより１種類の見切り材４０で様々な角度の面に対応できるから、コストを削減できる。
（４）固定部５０と連結部６０とを押出成形で一体に形成したので、固定部５０と連結部６０と別個に製造して組み立てる場合に比べ、見切り材４０を容易に製造できる
【００３０】
（５）カバー部７０を固定部５０および連結部６０とは別部材としたので、固定部５０、連結部６０およびカバー部７０を一体に成形する場合に比べ、カバー部７０を形成する材料が限定されないので、カバー部７０の意匠の自由度を向上できる。
（６）溝６１を設けたので、カバー部７０を溝６１と連結部６０とで支持できるから、カバー部７０の脱落を確実に防止できる。
【００３１】
〔第２実施形態〕
　図５には、本発明の第２実施形態に係る見切り材４０Ａの断面図が示されている。
　本実施形態において、カバー部７０Ａの構成が、第１実施形態と異なる。
　すなわち、カバー部７０Ａは、第１実施形態におけるカバー部７０が覆部７２の先端で連結部６０の端部に連結されたものであり、固定部５０および連結部６０と一体に形成されている。このカバー部７０Ａは、連結部６０が変形することにより、固定部５０に対して開閉自在とされている。
　なお、見切り材４０Ａには、前記第１実施形態の挟持片５１４は設けられていない。
【００３２】
　次に、接合部分Ａにおける見切り材４０Ａの取り付け方法について説明する。
　先ず、見切り材４０と同様に、天井面３５，３６上に見切り材４０Ａの各固定部５０を取り付ける。
　続いて、カバー部７０Ａを閉じて、挟持部７１を固定部５０の被支持部５２２に嵌め込む。これにより、見切り材４０Ａは、覆部７２の略中央で立ち上がり部５１３の先端に支持されるとともに、挟持部７１で固定部５０の被支持部５２２に支持される。よって、カバー部７０で固定部５０を覆うことができる。
　なお、接合部分Ｂにおける見切り材４０Ａも、同様の方法で取り付けることができる。
【００３３】
　したがって、本実施形態によれば、第１実施形態で述べた(１)〜(４)の効果に加え、以下の効果がある。
（７）カバー部７０Ａを連結部６０に連結して固定部５０に対して開閉自在としたので、見切り材４０Ａを取り付ける際に部品を紛失することがないから、取扱性を向上できる。
（８）カバー部７０Ａを閉じるだけで固定部５０を隠蔽できるから、施工性を向上できる。
【００３４】
〔第３実施形態〕
　図６，７には、本発明の第３実施形態に係る見切り材４０Ｂおよびその取り付け状態の断面が示されている。
　本実施形態において、硬質部材で形成されたカバー部７０Ｂおよび固定部５０Ｂと、軟質部材で形成された連結部６０Ｂとが一体に連結された構成が、前記第１実施形態、第２実施形態と異なる。
【００３５】
　すなわち、固定部５０Ｂは、一端で連結部６０Ｂに連結される本体５１Ｂを含み構成され、表面側が凹んだ略断面コの字形状とされており、底部５１１の一端側に立設された立ち上がり部５１２と、底部５１１の他端側に立設された立ち上がり部５１３とを備えている。
【００３６】
　固定部５０Ｂの立ち上がり部５１２の先端には、連結部６０Ｂ側に突起した突起５１２Ａが形成されている。この突起５１２Ａの表面には、当該表面から連結部６０Ｂ側の側面にわたって所定のＲ加工が行われている。
　また、立ち上がり部５１３の先端には、外側（連結部６０Ｂから離れる方向）に向かって延出した突起５１３Ａが形成されている。そして、この突起５１３Ａの表面には、当該表面から外側の側面にわたって所定のＲ加工が行われており、突起５１３Ａの裏面が、カバー部７０Bを係止する係止面５１３Ｂとなっている。
【００３７】
　固定部５０Ｂおよびカバー部７０Ｂの一端が連結された連結部６０Ｂは、前述のように軟質部材で形成され、固定部５０Ｂと連結された立上がり部６１２と、これらの立上がり部６１２同士を繋いでいるとともに、カバー部７０Ｂの一端が連結された繋ぎ部６１３とを有して形成されている。
【００３８】
　立上がり部６１２は、その先端に向かうに従って固定部５０Ｂの立ち上がり部５１２から遠ざかる向きに傾斜している。これにより、連結部６０Ｂを裏面側に折り曲げた際に固定部５０Ｂ同士の成す角度を大きく確保することができる。なお、立上がり部６１２を図６中、仮想線で示すように、膨らみ形状に形成してもよい。
【００３９】
　カバー部７０Ｂは、前記連結部６０Ｂが変形することにより、固定部５０Ｂに対して開閉自在とされている。
　カバー部７０Ｂは、断面略Ｌの字形状の引掛け部７４と、この引掛け部７４の一端側が延長されて形成された平板状の覆部７２と、覆部７２の一端側途中に設けられた突出部７３とを備えている。
【００４０】
　突出部７３の先端には、引掛け部７４側に向いた突起７３Ａが形成されている。この突起７３Ａは、前記固定部５０Ｂにおける立上がり部５１２の突起５１２Ａと係合可能となっている。そのため、突起７３Ａの引掛け部７４側の側面は、前記突起５１２ＡのＲ加工された面と互いがスムーズに係合しあうような形状になっている。
　そして、これらの突起７３Ａと５１２Ａとが係合するとき、固定部５０Ｂに対してカバー部７０Ｂが位置決めされることになる。つまり、突起７３Ａと５１２Ａとにより位置決め部７７が構成される。また、カバー部７０Ｂを固定部５０Ｂに被せるとき、位置決め部７７を支点として引掛け部７４が回動されるようになっており、これにより、位置決め部７７は、カバー部７０Ｂを回動させるための支点ともなっている。
【００４１】
　引掛け部７４は、固定部５０Ｂ側に向かって立ち上がっており、その先端には、一端側、つまり連結部６０Ｂ側に向いた突起７４Ａが形成されている。この突起７４Ａの係止面（覆部７２側の面）は、カバー部７０Ｂが固定部５０Ｂに被さったとき、固定部５０Ｂの前記突起５１３Ａの係止面５１３Ｂ上に載り、かつ突起５１３Ａの係止面５１３Ｂから、力を加えない限り外れないようになっている。そのため、固定部５０の突起５１３Ａと、カバー部７０Ｂにおける引掛け部７４の突起７４Ａとで、係止部７７が構成されている。
　なお、引掛け部７４における突起７４Ａには、連結部６０Ｂ側の上面から側面にわたる傾斜面７４Ｂが形成されており、この傾斜面７４Ｂは、カバー部７０を固定部５０に被せる際、固定部５０の突起５１３ＡのＲ面に沿って滑り、スムーズに被せることができるようになっている。
【００４２】
　次に、図７に基づいて、前記接合部分Ａにおける見切り材４０Ｂの取り付け方法について説明する。
　先ず、カバー部７０Ｂを固定部５０Ｂから外した状態で、天井面３５，３６上に釘打ちによって見切り４０Ｂの各固定部５０Ｂを取り付ける。
　続いて、カバー部７０Ｂを固定部５０Ｂに対して回動させ、カバー部７０Ｂの突起７３Ａと、固定部５０の突起５１２Ａとを係合させるとともに、位置決め部７７を支点として、カバー部７０Ｂの引掛け部７４の傾斜面７４Ｂを、固定部５０Ｂにおける立上がり部５１３の突起５１３ＡのＲ面に沿わせて回動させる。
　カバー部７０Ｂの回動が終了したとき、カバー部７０Ｂの引掛け部７４の突起７４Ａが、固定部５０Ｂの突起５１３Ａの係止面５１３Ｂ上に載って係止状態となり、カバー部７０Ｂで固定部５０を覆うことができる。
　なお、接合部分Ｂにおける見切り材４０Ｂも、同様の方法で取り付けることができる。
【００４３】
　本実施形態によれば、第１実施形態で述べた(１)〜(３)と同様の効果、および第２実施形態で述べた(７)、(８)と同様の効果に加え、以下の効果がある。
（９）見切り材４０Ｂを構成する固定部５０Ｂおよびカバー部７０Ｂが硬質材料から形成され、連結部６０Ｂが軟質材料から形成されているので、固定部５０Ｂにカバー部７０Ｂを被せる際、固定部５０Ｂおよびカバー部７０Ｂが軟質材料の場合だと生じる、柔らかいために嵌め込みにくい、というようなことがなくなり、その結果、固定部５０Ｂとカバー部７０Ｂとの嵌め込み等が容易となり、施工性が向上する。
【００４４】
（１０）見切り材４０Ｂのカバー部７０Ｂが硬質材料で形成されているので、固定部５０Ｂに被せて、見切り材４０Ｂを所定の位置に取り付けたときでも、たるみが生じないから、見切り材４０Ｂの外観が良好となる。
【００４５】
（１１）固定部５０Ｂとカバー部７０Ｂとの間に、位置決め部７７が設けられているから、カバー部７０Ｂの固定部５０Ｂに対する平行を保持できるうえに、位置決め部７７によって固定部５０Ｂとカバー部７０Ｂとの間に空間を形成でき、その結果、固定部５０Ｂを固定するために釘５１５を固定部５０Ｂから打ち付けても、釘５１５の頭が、カバー部７０Ｂを被せたときにカバー部７０Ｂの邪魔とならない。
【００４６】
（１２）位置決め部７７は、固定部５０Ｂとカバー部７０Ｂとを係止する際の支点となっているので、支点に力を加えることで、係止部７８を嵌めやすくなり、その結果、施工性の向上を図れる。
【００４７】
　なお、本発明は前記各実施形態に限定されるものではなく、本発明の目的を達成できる範囲での変形、改良等は本発明に含まれるものである。
　例えば、前記第３実施形態では、見切り材４０Ｂが接合部分Ａ、接合部分Ｂに取り付けられているが、見切り材４０Ｂの取り付け位置は、接合部分Ａ、接合部分Ｂに限定されず、例えば、図８（Ａ）に示すように、下がり壁２０Ａの角部Ｃに取り付けてもよい。この場合、まず、下がり壁２０Ａの例えば側面２０１に一方の固定部５０Ｂを固定した後、その固定部５０Ｂに一方のカバー部７０Ｂを被せ、次に、下がり壁２０Ａの下面２０２に他方の固定部５０Ｂを固定した後、その固定部５０Ｂに他方のカバー部７０Ｂを被せて、見切り材４０Ｂを取り付ける。
　なお、第１、第２実施形態の見切り材４０、見切り材４０Ａも、図８（Ａ）に示すように、下がり壁２０Ａの角部Ｃに取り付けることもできる。
【００４８】
　また、前記第３実施形態の見切り材４０Ｂは、連結部６０Ｂを挟んで左右に固定部５０Ｂおよびカバー部６０Ｂが連結された形状とされるとともに、接合部分Ａ、接合部分Ｂに取り付けられていたが、これに限らない。図８（Ｂ）、（Ｃ）に示すように、見切り材４０Ｂの連結部６０Ｂの幅方向中心を切断した形状、つまり見切り材４０Ｂの半分の見切り材４０Ｃとしてもよい。
　そして、そのような見切り材４０Ｃを、図８（Ｂ）に示すように、壁２０Ｂの傾斜面２０３と垂直面２０４との接合部分Ｃに取り付けてもよく、また、図８（Ｃ）に示すように、壁２０Ｃの下面２０５と垂直面２０６との接合部分Ｄに取り付けてもよい。この場合、連結部６０Ｂの繋ぎ部６１３の切断された半分６１３Ａが、垂直面２０４，２０６に被さるようになるから、被取り付け部内、つまり、接合部分Ｄの内部に塵埃が浸入するのを防止できる。
【００４９】
　さらに、前記第３実施形態における見切り材４０Ｂの形状を、図９（Ａ）、（Ｂ）、（Ｃ）に示すような形状の見切り材４０Ｄ、４０Ｅ、４０Ｆとしてもよい。
　すなわち、図９（Ａ）に示す見切り材４０Ｄは、カバー部７０Ｄの他端に、固定部５０Ｄ側に突出した板状の支持部７４を有し、この支持部７４の両側面に複数条の外溝７４Ａが横方向に切られた形状となっている。これに対して、固定部５０Ｄには、一端側に位置決め部７７を構成する立上がり部５３２、他端側端部に断面門形状の外側立上がり部５３３が、それぞれ設けられている。このうち、外側立上がり部５３３の対向する内側面に複数条の内溝５３３Ａが横方向に切られた形状となっている。
　カバー部７０Ｄを固定部５０Ｄに取り付ける際は、カバー部７０Ｄの支持部７４を外側立上がり部５３３の内部に押し込むと、支持部７４の外溝７４Ａが、外側立上がり部５３３の内溝７４Ａを押し広げながら進み、最後まで押し込んだとき、拡げられた外側立上がり部５３３の復元力により、内溝５３３Ａ、外溝７４Ａとが噛合しあうことになり、その結果、カバー部７０Ｄと固定部５０Ｄとが係止される。
【００５０】
　図９（Ｂ）に示す見切り４０Ｅは、カバー部７０Ｅの一端に、固定部５０Ｅ側に突出した断面円形部を有する支持部７５を備えて形成されている。これに対して、固定部５０Ｅには、一端側に立上がり部５３２、他端に上記支持部７５と係止可能な断面鍵穴形状の横穴５３４が形成されている。
　固定部５０Ｅに対するカバー部７０Ｅの取り付けに際しては、カバー部７０Ｅの他端を連結部６０Ｂに対して回動させ、支持部７５を横穴５３４に差し込む。そうすると、支持部７５が横穴部５３４を押し広げるが、横穴部５３４の復元力により、横穴部５３４が支持部７５を包み込んで互いに係止しあい、これによりカバー部７０Ｅと固定部５０Ｅとが係止される。
【００５１】
　図９（Ｃ）に示す見切り４０Ｆは、カバー部７０Ｆの一端側に固定部５０Ｆに向かって突出する突出部７３２、他端側に固定部５０Ｆに向かって延びる断面Ｌ字状の支持部７３３をそれぞれ有し、これらの突出部７３２、支持部７３３の互いに対向する側面には内側溝７３２Ａ，７３３Ａがそれぞれ切られている。
　これに対して、固定部５０Ｆには、一端側にカバー部７０Ｆに向かって突出した立上がり部５４２と、他端にカバー部７０Ｆ側に突出した立上がり部５４３とがそれぞれ設けられ、これらの立上がり部５４２，５４３の互いに反対方向に向いた側面には、それぞれ外溝５４２Ａ，５４３Ａが切られている。そして、固定部５０Ｆの立上がり部５４２、５４３の外溝５４２Ａ，５４３Ａと、カバー部７０Ｆの突出部７３２、および支持部７３３の内溝７３２Ａ，７３３Ａとは、互いに係合し、かつ係止可能となっている。
　見切り４０Ｆの取り付けに際しては、固定部５０Ｆを所定位置に固定した後、カバー部７０Ｆを回動させ、カバー部７０Ｆの突出部７３２および支持部７３３の内溝７３２Ａ，７３３Ａと、固定部５０Ｆの立上がり部５４２、５４３の外溝５４２Ａ，５４３Ａとを係合させ、かつ係止させる。
【産業上の利用可能性】
【００５２】
　本発明は、複数の建物ユニットを組み合わせて建てられるユニット式建物や、複数の壁パネルを組み合わせて建てられるパネル工法の建物や、木材等を組み上げて建てられるいわゆる在来工法の建物において、勾配天井や折り上げ天井等を有する建物に利用できる。
【図面の簡単な説明】
【００５３】
【図１】本発明の第１実施形態に係る見切り材が適用された建物を示す断面図である。
【図２】前記実施形態に係る建物の部屋の拡大断面図である。
【図３】前記実施形態に係る見切り材の断面図である。
【図４】前記実施形態に係る見切り材の取り付け方法を説明するための図である。
【図５】本発明の第２実施形態に係る見切り材の取り付け方法を説明するための図である。
【図６】本発明の第３実施形態に係る見切り材の断面図である。
【図７】前記第３実施形態に係る見切り材の取り付け方法を説明するための図である。
【図８】本発明の変形形態に係る見切り材の取り付け方法を説明するための図である。
【図９】本発明の他の変形形態に係る見切り材の取り付け方法を説明するための図である。
【符号の説明】
【００５４】
　２３　　　壁面
　３５　　　水平天井面
　３６　　　傾斜天井面
　４０，４０Ａ，４０Ｂ　　　見切り材
　５０，５０Ｂ　　　　　　　固定部
　６０，６０Ｂ　　　　　　　連結部
　６１　　　溝
　７０，７０Ｂ　　　　　　　カバー部
　７１　　　挟持部
　７２　　　覆部
【図１】
2004076572.tif 000003
【図２】
2004076572.tif 000004
【図３】
2004076572.tif 000005
【図４】
2004076572.tif 000006
【図５】
2004076572.tif 000007
【図６】
2004076572.tif 000008
【図７】
2004076572.tif 000009
【図８】
2004076572.tif 000010
【図９】
2004076572.tif 000011